(57)【要約】【課題】ある色相の画像領域により他の色相の画像領域が分断される構成を含む画像において、分断状態に応じた境界判定を可能とし、印刷物における画像内の境界部分にて生じる弊害の抑制を行う際に利用可能とすることを可能とする。【解決手段】ベクター形式の画像データを処理する画像処理装置であって、前記画像データが、第１の色相にて形成される第１の画像領域と、前記第１の色相とは異なる第２の色相にて形成される第２の画像領域とを含んで構成される場合に、前記第１の画像領域のうち、前記第２の画像領域と隣接する境界領域を特定する第１の特定手段と、前記第１の画像領域のベクトル方向において、前記第１の画像領域が前記第２の画像領域により分断される位置を特定する第２の特定手段と、前記第１の特定手段にて特定された境界領域のうち、前記第２の特定手段にて特定された位置に対応する境界領域を第１の境界領域とし、それ以外の境界領域を第２の境界領域として判定する判定手段とを有する。【選択図】  図８
2019195961.tif 000002
【特許請求の範囲】
【請求項１】
ベクター形式の画像データを処理する画像処理装置であって、
前記画像データが、第１の色相にて形成される第１の画像領域と、前記第１の色相とは異なる第２の色相にて形成される第２の画像領域とを含んで構成される場合に、前記第１の画像領域のうち、前記第２の画像領域と隣接する境界領域を特定する第１の特定手段と、
前記第１の画像領域のベクトル方向において、前記第１の画像領域が前記第２の画像領域により分断される位置を特定する第２の特定手段と、
前記第１の特定手段にて特定された境界領域のうち、前記第２の特定手段にて特定された位置に対応する境界領域を第１の境界領域とし、それ以外の境界領域を第２の境界領域として判定する判定手段と
を有することを特徴とする画像処理装置。
【請求項２】
前記第１の特定手段は、
前記ベクター形式の画像データを２値化して得られる２値データから、前記第１の画像領域の２値データと、前記第２の画像領域の２値データとを抽出し、
前記第２の画像領域の２値データに対してボールド処理を行うことで当該第２の画像領域を拡張させ、
前記第１の画像領域の２値データと、前記拡張させた第２の画像領域の２値データとの論理積処理を行うことで、前記第１の画像領域のうちの前記境界領域を特定することを特徴とする請求項１に記載の画像処理装置。
【請求項３】
前記第２の特定手段は、
前記第１の画像領域に線幅圧縮処理を行い更に反転処理を行うことで得られる画像の２値データと、前記線幅圧縮処理および前記反転処理を行っていない前記第１の画像領域の２値データとの論理積処理を行うことで、前記第１の画像領域のエッジ領域を特定し、
前記第１の特定手段にて特定された前記第１の画像領域の境界領域と、前記第１の画像領域のエッジ領域とを用いて、前記第１の画像領域が前記第２の画像領域により分断されずに隣接している位置を特定することを特徴とする請求項２に記載の画像処理装置。
【請求項４】
前記第１の色相の画像を形成するための第１の記録剤と、前記第１の記録剤よりも記録媒体への浸透性が低い前記第１の色相の画像を形成するための第２の記録剤とが用いられ、
前記第１の境界領域を形成する場合の前記第１の記録剤と前記第２の記録剤との比率は、前記第２の境界領域を形成する場合に比べて前記第１の記録剤の方が多くなるように処理されることを特徴とする請求項１乃至３のいずれか一項に記載の画像処理装置。
【請求項５】
前記第１の画像領域のうちの前記第１の境界領域以外の領域は、前記第２の記録剤にて形成されるように処理されることを特徴とする請求項４に記載の画像処理装置。
【請求項６】
前記第２の画像領域のうち、前記第２の境界領域に隣接する領域を第３の境界領域として特定する第３の特定手段を更に有し、
前記第２の画像領域から前記第３の境界領域の画像を間引きして画像を形成するように処理されることを特徴とする請求項１乃至３のいずれか一項に記載の画像処理装置。
【請求項７】
前記第１の色相の画像を形成するための第１の記録剤と、前記第１の記録剤よりも記録媒体への浸透性が低い前記第１の色相の画像を形成するための第２の記録剤とが用いられ、
前記第１の境界領域を形成する場合の前記第１の記録剤と前記第２の記録剤との比率は、前記第１の画像領域のうちの前記第１の境界領域以外の領域を形成する場合に比べて前記第１の記録剤の方が多くなるように処理されることを特徴とする請求項６に記載の画像処理装置。
【請求項８】
前記判定手段は更に、前記第２の画像領域のうち前記第１の境界領域に隣接する領域を第４の境界領域とし、前記第２の画像領域のうち前記第２の境界領域に隣接する領域を第３の境界領域として判定することを特徴とする請求項１乃至３のいずれか一項に記載の画像処理装置。
【請求項９】
前記第１の色相は、ブラックであり、
前記第２の色相は、ブラック以外の色である
ことを特徴とする請求項１乃至８のいずれか一項に記載の画像処理装置。
【請求項１０】
請求項１乃至９のいずれか一項に記載の画像処理装置を含んで構成される画像形成装置。
【請求項１１】
前記画像形成装置は、第１の色相に対応する複数の記録剤と、第２の色相に対応する少なくとも１つの記録剤とを用いて画像の形成が可能な画像形成部を備え、
前記第１の色相に対応する複数の記録剤はそれぞれ記録媒体に対する浸透性が異なることを特徴とする請求項１０に記載の画像形成装置。
【請求項１２】
前記画像形成装置は、記録剤としてインクを用いるインクジェット記録装置であり、
前記第１の色相に対応する複数のインクのうちの第１のインクと前記第２の色相に対応する少なくとも１つのインクは、前記第１の色相に対応する複数のインクのうちの第２のインクよりも記録媒体に対する浸透性が高いことを特徴とする請求項１０または１１に記載の画像形成装置。
【請求項１３】
前記インクの記録媒体への浸透性は、当該インクの表面張力にて制御され、
前記第１のインクと、前記第２の色相に対応する少なくとも１つのインクの表面張力は、２０〜３５ｍＮ／ｍとなり、
前記第２のインクの表面張力は、３５〜４０ｍＮ／ｍとなるように制御されることを特徴とする請求項１２に記載の画像形成装置。
【請求項１４】
ベクター形式の画像データを処理する画像処理方法であって、
前記画像データが、第１の色相にて形成される第１の画像領域と、前記第１の色相とは異なる第２の色相にて形成される第２の画像領域とを含んで構成される場合に、前記第１の画像領域のうち、前記第２の画像領域と隣接する境界領域を特定する第１の特定工程と、
前記第１の画像領域のベクトル方向において、前記第１の画像領域が前記第２の画像領域により分断される位置を特定する第２の特定工程と、
前記第１の特定工程にて特定された境界領域のうち、前記第２の特定工程にて特定された位置に対応する境界領域を第１の境界領域とし、それ以外の境界領域を第２の境界領域として判定する判定工程と
を有することを特徴とする画像処理方法。
【請求項１５】
コンピュータに、
ベクター形式の画像データが、第１の色相にて形成される第１の画像領域と、前記第１の色相とは異なる第２の色相にて形成される第２の画像領域とを含んで構成される場合に、前記第１の画像領域のうち、前記第２の画像領域と隣接する境界領域を特定する第１の特定工程と、
前記第１の画像領域のベクトル方向において、前記第１の画像領域が前記第２の画像領域により分断される位置を特定する第２の特定工程と、
前記第１の特定工程にて特定された境界領域のうち、前記第２の特定工程にて特定された位置に対応する境界領域を第１の境界領域とし、それ以外の境界領域を第２の境界領域として判定する判定工程と
を実行させるためのプログラム。
【発明の詳細な説明】
【技術分野】
【０００１】
本発明は、画像処理装置、画像処理方法、及びプログラムに関する。
【背景技術】
【０００２】
インクジェット記録装置などの画像形成装置において、複数種類のインクを用いて画像を形成した際に、色材の異なるインク間で「滲み」が発生する場合がある。一般的には、記録媒体に対する浸透性が低い低浸透インクを用いて記録した画像側から、記録媒体に対する浸透性が高い高浸透インクを用いて記録した画像側へ「滲み」（以下、ブリード現象）が発生する。その結果、画像品位が低下してしまう。
【０００３】
従来、ブリード現象を抑制するために、同じ色材について浸透性の異なる複数のインクを用いて記録を行う技術が提案されている。例えば、特許文献１には、ブラック画像をカラー画像と隣接するブラック境界領域と、カラー画像と隣接しないブラック非境界領域とに分る。そして、ブラック境界領域を高浸透ブラックインクで記録し、ブラック非境界領域を低浸透ブラックインクと高浸透ブラックインクとの混色で記録することが記載されている。
【先行技術文献】
【特許文献】
【０００４】
【特許文献１】特開２００２−１１３８５０号公報
【発明の概要】
【発明が解決しようとする課題】
【０００５】
一方、ブラック画像領域とカラー画像領域とが交差する画像において、ブラック画像領域が隣接するカラー画像領域によって分断されない場合と分断される場合との、両方の場合の画像に生じる弊害を低減させる処理方法がない。
【０００６】
そこで、本発明は、ある色相の画像領域により他の色相の画像領域が分断される構成を含む画像において、分断状態に応じた境界判定を可能とし、印刷物における画像内の境界部分にて生じる弊害の抑制を行う際に利用可能とすることを目的とする。
【課題を解決するための手段】
【０００７】
上記課題を解決するために本願発明は以下の構成を有する。すなわち、ベクター形式の画像データを処理する画像処理装置であって、前記画像データが、第１の色相にて形成される第１の画像領域と、前記第１の色相とは異なる第２の色相にて形成される第２の画像領域とを含んで構成される場合に、前記第１の画像領域のうち、前記第２の画像領域と隣接する境界領域を特定する第１の特定手段と、前記第１の画像領域のベクトル方向において、前記第１の画像領域が前記第２の画像領域により分断される位置を特定する第２の特定手段と、前記第１の特定手段にて特定された境界領域のうち、前記第２の特定手段にて特定された位置に対応する境界領域を第１の境界領域とし、それ以外の境界領域を第２の境界領域として判定する判定手段とを有する。
【発明の効果】
【０００８】
本発明により、ある色相の画像領域により他の色相の画像領域が分断される構成を含む画像において、分断状態に応じた境界判定を可能とし、印刷物における画像内の境界部分にて生じる弊害の抑制を行う際に利用可能とすることを可能とする。
【図面の簡単な説明】
【０００９】
【図１】画像にて生じる弊害に対する処理を説明するための図。
【図２】本願発明に係る記録装置の主要部を説明するための図。
【図３】本願発明に係る記録装置の記録制御系を模式的に示す図。
【図４】第１の実施形態に係る画像データ処理の概略構成を示す図。
【図５】第１の実施形態に係る境界検出処理のフローチャート。
【図６】境界検出処理を実行した際の過程を模式的に示す図。
【図７】ブラック境界領域の判別処理のフローチャート。
【図８】ブラック境界領域の判別の概略図。
【図９】第２の実施形態に係る画像にて生じる弊害に対する処理を説明するための図。
【図１０】第２の実施形態に係る抽出処理のフローチャート。
【図１１】第３の実施形態に係るカラー境界領域の判別処理のフローチャート。
【発明を実施するための形態】
【００１０】
以下、図面を参照して本発明の実施形態を説明する。なお、本実施形態は、画像を形成する記録剤としてインクを用いるインクジェット記録装置について記載しているが、これに限定するものではない。画像の形成に用いられる記録剤の特性によりブリード現象が発生する場合には、他の方式や他の記録剤を用いた記録装置であってもよい。
【００１１】
［画像にて生じる弊害について］
記録装置では、シアン（Ｃ）、マゼンタ（Ｍ）、イエロー（Ｙ）などのカラーインクは、発色均一性の観点から記録媒体に対する浸透性が相対的に高いインクが好ましいとされる。一方、ブラック（Ｂｋ）インクは色濃度、細線品位の観点から記録媒体に対する浸透性が相対的に低いインクが好ましいとされる。しかし、低浸透Ｂｋインクで記録する画像が高浸透カラーインクで記録する画像と隣接する場合、Ｂｋインクがカラー画像側に流れ込むブリード現象が発生し画像品位が低下してしまう。
【００１２】
図１（ａ）は、低浸透Ｂｋインクと高浸透Ｂｋインクを夫々使用した場合の、カラー画像（単色１００％Ｄｕｔｙ）に隣接するブラック画像（単色１００％Ｄｕｔｙ）の境界処理領域（以下、ブラック境界領域）のイメージ図を示す。なお、単色１００％Ｄｕｔｙとは、ある画像領域において単色で構成される割合を示しているものとする。
【００１３】
例えば上述した特許文献１の方法では、ブラック画像の領域を、カラー画像と隣接しないブラック非境界領域と、カラー画像と隣接するブラック境界領域１０３、１０４とに分ける。そして、ブラック境界領域１０３、１０４を高浸透Ｂｋインクのみで記録し、ブラック非境界領域を低浸透Ｂｋインクと高浸透Ｂｋインクとの混色で記録する。従って、ブラック境界領域１０３、１０４は、高浸透Ｂｋインクと高浸透カラーインクが隣接するため、色材（浸透性）の異なるインク間のブリード現象を抑制することができる。しかしながら、ブラック境界領域１０３、１０４を高浸透Ｂｋインクのみで記録するため、ブラック非境界領域に比べて境界領域の黒発色が低下してしまう。その結果、例えば、カラー画像と隣接するブラック画像がブラック細線の場合、図１（ｂ）の領域１０５、１０６に示すように、ブラック細線が一部欠けているように見える場合があった。
【００１４】
一方、ブラック境界領域を高浸透Ｂｋインクと低浸透Ｂｋインクとの混色で記録する方法もある。これにより、ブラック非境界領域に比べてブラック境界領域の黒発色の低下を抑制でき、カラー画像と隣接するブラック細線が欠けずに記録できる。しかしながら、この方法では、ブラック境界領域に高浸透Ｂｋインクだけでなく低浸透Ｂｋインクも用いられるため、低浸透Ｂｋインクがカラー画像側に流れ込むようなブリード現象がわずかに発生してしまう。特にカラー画像がカラー細線の場合、図１（ｃ）の領域１０７、１０８に示すように、カラー細線の一部が欠けているようにみえる場合があった。
【００１５】
そこで本発明では、ブラック画像のうちカラー画像と隣接するブラック境界領域を、隣接するカラー画像によって分断されないブラック境界領域１０３と、隣接するカラー画像によって分断されるブラック境界領域１０４とを区別する。そして、ブラック境界領域１０３とブラック境界領域１０４のそれぞれに対し、高浸透Ｂｋインクと低浸透Ｂｋインクの使用比率を切り替えて画像形成を行う。ここでのインクの比率は特に限定するものでは無いが、上述したような弊害を抑制するような比率にて組み合わせられるものとする。
【００１６】
図１（ｄ）は、図１（ａ）に示す画像において、ブラック細線とカラー細線との重なり方に応じて区別し、高浸透Ｂｋインクと低浸透Ｂｋインクの使用比率を切り替えて記録した場合の例を示す。低浸透Ｂｋインクのベタ細線画像１０２が高浸透カラーインクのベタ細線画像１０１よって分断されないブラック境界領域１０３では低浸透Ｂｋインクと高浸透Ｂｋインクとの混色で記録する。これにより、カラー細線側への低浸透Ｂｋインクのブリード現象が領域１０７にて生じるが、ブラック境界領域１０３の黒発色低下を低減でき、メインとなるブラック細線（ベタ細線画像１０２）は欠けずに記録できる。
【００１７】
一方、低浸透Ｂｋインクのベタ細線画像１０２が高浸透カラーインクのベタ細線画像１０１よって分断されるブラック境界領域１０４では高浸透Ｂｋインクのみで記録する。これにより、ブラック境界領域１０４の黒発色は低下する領域１０６が生じうるが、メインとなるカラー細線（ベタ細線画像１０１）は欠けずに記録できる。なお、以下の実施形態では、ブラック画像領域においてブラック非境界領域は、低浸透Ｂｋインクを用いるものとして説明する。
【００１８】
＜第１の実施形態＞
［装置構成］
図２は、本実施形態に係るシリアル方式のインクジェット記録装置（以下、記録装置）２００の概略構成を示す斜視図である。記録装置２００において、画像形成を行う画像形成部に関する部分のみの概略を示している。インクタンク２０７〜２１２は、高浸透Ｂｋ（Ｂｋ１）インク、低浸透Ｂｋ（Ｂｋ２ａ）インク、低浸透Ｂｋ（Ｂｋ２ｂ）インク、イエロー（Ｙ）インク、マゼンタ（Ｍ）インク、シアン（Ｃ）インクの６種類のインクをそれぞれ収容している。各Ｂｋインクは、略同一の色相を有する同系色のインクであり、記録媒体Ｐ上にて形成された場合には同一の色相として視認されるものである。高浸透Ｂｋインクは、低浸透Ｂｋインクに対し相対的に表面張力の低いインクである。つまり、高浸透Ｂｋインクは、低浸透Ｂｋインクに対し相対的に記録媒体に対する浸透性が高いインクである。低浸透Ｂｋ（Ｂｋ２ａ）インクと低浸透Ｂｋ（Ｂｋ２ｂ）インクとは、同一もしくは略同一の浸透性を有する。また、高浸透Ｂｋ（Ｂｋ１）インクと、カラーインク（イエロー（Ｙ）、マゼンタ（Ｍ）、シアン（Ｃ））とは、同一もしくは略同一の浸透性を有するものとして説明する。なお、ここでは、ブラック以外の色のインクをまとめてカラーインクとも称する。
【００１９】
これら６種類のインクが対応するインクタンク２０７〜２１２から記録ヘッド２０１〜２０６に供給可能に構成されている。記録ヘッド２０１〜２０６は、６種類のインクに対応して設けられ、インクタンク２０７〜２１２から供給されるインクを吐出することができる。すなわち、本実施形態では、同じ色のインクについて、高浸透Ｂｋインクを吐出する１つの記録ヘッドと低浸透Ｂｋインクを吐出する２つの記録ヘッドを、主走査方向Ｘに配列している。なお、記録ヘッドの形態は、同じ色のインクについて、高浸透Ｂｋインクを吐出するノズル列１つと低浸透Ｂｋインクを吐出するノズル列２つが主走査方向に配列するようこれらノズル列を一体に備えるものであってもよい。
【００２０】
また、本実施形態では、６色のインクを用いた例を示したが、これに限定するものではない。例えば、浸透性が異なり、かつ、同じ色の複数のインクを含む構成であれば、より多い、もしくは、少ない数のインクに対応した構成であってよい。また、インクタンクの容量は、全て同一であってもよいし、インクの色や種類に応じて異なっていてもよい。ここでは、記録媒体は、スタンダード普通紙２（キヤノン株式会社製）を使用した例を用いて説明するが、これに限定するものではない。また、記録媒体として、カット紙やロール紙のいずれが用いられてもよい。
【００２１】
また、本実施形態では、高浸透Ｂｋインクと低浸透Ｂｋインクの組み合わせについて説明するがこれに限定するものではない。例えば、カラーインクにおいても浸透性の異なる同じ色相のインクを用いる場合には、本願発明は適用可能である。
【００２２】
搬送ローラ２２０は、補助ローラ２２１とともに紙などの記録媒体Ｐを挟持しながら回転して記録媒体Ｐを図２中のＹ方向（副走査方向）に搬送するとともに、記録媒体Ｐを保持する。キャリッジ２２２は、インクタンク２０７〜２１２及び記録ヘッド２０１〜２０６を搭載可能であって、これら記録ヘッド及びインクタンクを搭載して図２中のＸ方向（主走査方向）に往復移動可能に構成されている。キャリッジ２２２の往復移動中に画像データに基づき記録ヘッドからインクが吐出され、これにより記録媒体Ｐに画像が記録される。記録ヘッドの回復動作時等の非記録動作時には、キャリッジ２２２は図２中の破線で示したホームポジション位置ｈに待機するように制御される。
【００２３】
ホームポジションｈに待機しているキャリッジ２２２は、記録開始命令が入力されると図２中のｘ方向に移動しつつ、記録ヘッドからインクを吐出して記録媒体Ｐ上に画像を記録する。キャリッジ２２２の１回の移動（走査）によって、記録ヘッド２０１〜２０６の吐出口の配列範囲に対応した幅を有する領域に対して記録が行われる。
【００２４】
キャリッジ２２２の主走査方向（Ｘの正の方向）への１回の走査に伴う記録が終了すると、キャリッジ２２２はホームポジションｈへ向かい、主走査方向の逆方向（Ｘの負の方向）へ走査しながら、記録が行われる。前回の記録走査が終了してから続く記録走査が始まる前には、搬送ローラ２２０が回転して、主走査方向と交差する副走査方向（Ｙ方向）へと記録媒体Ｐが搬送される。このように記録ヘッドの記録走査と記録媒体の搬送とを繰り返すことにより記録媒体Ｐに対する画像の記録が行われる。記録ヘッド２０１〜２０６からインクを吐出する記録動作は、後述の制御手段による制御に基づいて行われる。
【００２５】
なお、上記の例では、インクタンク２０７〜２１２と記録ヘッド２０１〜２０６とを分離可能にキャリッジ２２２に搭載する構成を示した。しかし、インクタンク２０７〜２１２と記録ヘッド２０１〜２０６とが一体となったカートリッジをキャリッジに搭載する形態を採用してもよい。さらに、一つの記録ヘッドから複数色のインクを吐出可能な複数色一体型のヘッドをキャリッジ２２２に搭載する形態を採用してもよい。また、キャリッジ２２２の主走査方向がＸ方向であるシリアル方式ヘッドに限定されず、キャリッジ２２２の主走査方向が記録媒体Ｐの搬送方向（Ｙ方向）であるライン型ヘッドでもよい。ライン型ヘッドの場合、Ｘ方向に沿って記録幅の分だけ記録素子が配列される。そして、各色に対応した複数のライン型ヘッドが搬送方向（図２のＹ方向）に沿って並べられる。
【００２６】
［インクの組成］
次に、本実施形態で用いるインクについて説明する。以下、「部」および「％」とあるのは、特に断りのない限り、質量基準である。なお、以下に示す組成は一例であり、インク間の関係性が同様であれば、この組成に限定するものでは無い。
【００２７】
・高浸透Ｂｋインク（Ｂｋ１）の作製
（１）分散液の作製
まず、アニオン系高分子Ｐ−１［スチレン／ブチルアクリレート／アクリル酸共重合体（重合比（重量比）＝３０／４０／３０）酸価２０２、重量平均分子量６５００］を準備する。これを、水酸化カリウム水溶液で中和し、イオン交換水で希釈して均質な１０質量％ポリマー水溶液を作製する。
【００２８】
そして、上記ポリマー溶液を２００ｇ、カーボンブラックを１００ｇおよびイオン交換水を３００ｇ混合し、機械的に所定時間撹拌した後、遠心分離処理によって、粗大粒子を含む非分散物を除去してブラック分散液とする。得られたブラック分散液は、その顔料濃度が１０質量％であった。
【００２９】
（２）インクの作製
インクの作製は、上記ブラック分散液を使用する。上記ブラック分散液に以下の成分を加えて、十分に混合撹拌した後、ポアサイズ２．５μｍのミクロフィルター（富士フイルム製）にて加圧濾過し、顔料濃度５質量％の顔料インクを調製する。このように、本発明で用いる高浸透ブラックインクを作製した。このときの表面張力は２８．８ｍＮ／ｍであった。
ブラック分散液                                                        ５０部
グリセリン                                                            １０部
トリエチレングリコール                                                １０部
アセチレングリコールＥＯ付加物（川研ファインケミカル株式会社製）    １．０部
イオン交換水                                                            残部
【００３０】
・低浸透Ｂｋインク（Ｂｋ２ａ及びＢｋ２ｂ）の作製
高浸透Ｂｋインクにて作製した上記ブラック分散液を使用する。上記ブラック分散液に以下の成分を加えて、十分に混合撹拌した後、ボアサイズ２．５μｍのミクロフィルター（富士フイルム製）にて加圧濾過し、顔料濃度３質量％の顔料インクを調製する。このように、本発明で用いる低浸透Ｂｋインクを作製した。このときの表面張力は３９．４ｍＮ／ｍであった。
ブラック分散液                                                        ３０部
グリセリン                                                            １０部
トリエチレングリコール                                                １０部
２−ピロリドン                                                          ５部
アセチレングリコールＥＯ付加物（川研ファインケミカル株式会社製）    ０．１部
イオン交換水                                                            残部
【００３１】
・シアンインク（Ｃ）の作製
（１）分散液の作製
まず、ベンジルアクリレートとメタクリル酸とを原料として、常法により、酸価２５０、数平均分子量３０００のＡＢ型ブロックポリマーを作り、水酸化カリウム水溶液で中和し、イオン交換水で希釈して均質な５０質量％ポリマー水溶液を作製する。
【００３２】
上記ポリマー溶液を２００ｇ、Ｃ．Ｉ．ピグメントブルー１５：３を１００ｇおよびイオン交換水を７００ｇ混合し、機械的に所定時間撹拌した後、遠心分離処理によって、粗大粒子を含む非分散物を除去してシアン分散液とする。得られたシアン分散液は、その顔料濃度が１０質量％であった。
【００３３】
（２）インクの作製
インクの作製は、上記シアン分散液を使用する。上記シアン分散液に以下の成分を加えて、十分に混合撹拌した後、ポアサイズ２．５μｍのミクロフィルター（富士フイルム製）にて加圧濾過し、顔料濃度２質量％の顔料インクを調製する。このように、本実施形態で用いるシアンインクを作製した。このときの表面張力は２８．５ｍＮ／ｍであった。
シアン分散液                                                          ２０部
グリセリン                                                            １０部
ジエチレングリコール                                                  １０部
２−ピロリドン                                                          ５部
アセチレングリコールＥＯ付加物（川研ファインケミカル株式会社製）    １．０部
イオン交換水                                                            残部
【００３４】
・マゼンタインク（Ｍ）の作製
（１）分散液の作製
まず、ベンジルアクリレートとメタクリル酸とを原料として、常法により、酸価３００、数平均分子量２５００のＡＢ型ブロックポリマーを作り、水酸化カリウム水溶液で中和し、イオン交換水で希釈して均質な５０質量％ポリマー水溶液を作製する。
【００３５】
上記ポリマー溶液を１００ｇ、Ｃ．Ｉ．ピグメントレッド１２２を１００ｇおよびイオン交換水８００ｇを混合し、機械的に所定時間撹拌した後、遠心分離処理によって、粗大粒子を含む非分散物を除去してマゼンタ分散液とする。得られたマゼンタ分散液は、その顔料濃度が１０質量％であった。
【００３６】
（２）インクの作製
インクの作製は、上記マゼンタ分散液を使用する。上記マゼンタ分散液に以下の成分を加えて、十分に混合撹拌した後、ポアサイズ２．５μｍのミクロフィルター（富士フイルム製）にて加圧濾過し、顔料濃度４質量％の顔料インクを調製する。このように、本実施形態で用いるマゼンタインクを作製した。このときの表面張力は２８．３ｍＮ／ｍであった。
マゼンタ分散液                                                      ４０部
グリセリン                                                          １０部
ジエチレングリコール                                                １０部
２−ピロリドン                                                        ５部
アセチレングリコールＥＯ付加物（川研ファインケミカル株式会社製）  １．０部
イオン交換水                                                          残部
【００３７】
・イエローインク（Ｙ）の作製
（１）分散液の作製
まず、上記アニオン系高分子Ｐ−１を、水酸化カリウム水溶液で中和し、イオン交換水で希釈して均質な１０質量％ポリマー水溶液を作製する。
【００３８】
上記ポリマー溶液を３００ｇ、Ｃ．Ｉ．ピグメントイエロー７４を１００ｇおよびイオン交換水を６００ｇ混合し、機械的に所定時間攪拌した後、遠心分離処理によって粗大粒子を含む非分散物を除去してイエロー分散液とする。得られたイエロー分散液は、その顔料濃度が１０質量％であった。
【００３９】
（２）インクの作製
以下の成分を混合し、十分に攪拌して溶解・分散後、ポアサイズ１．０μｍのミクロフィルター（富士フィルム製）にて加圧濾過して、顔料濃度４質量％の顔料インクを調製する。このように、本実施形態で用いるイエローインクを作製した。このときの表面張力は２８．６ｍＮ／ｍであった。
イエロー分散液                                                        ４０部
グリセリン                                                              ９部
エチレングリコール                                                    １０部
２−ピロリドン                                                          ５部
アセチレングリコールＥＯ付加物（川研ファインケミカル株式会社製）    １．０部
イオン交換水                                                            残部
【００４０】
記録装置２００は、同系色のインク（Ｂｋインク）について、記録媒体Ｐに着弾したときに記録媒体Ｐ内部への浸透性の異なる２種類のインクを用いている。高浸透Ｂｋインク（Ｂｋ１）は記録媒体Ｐへの浸透性が、低浸透Ｂｋインク（Ｂｋ２ａ及びＢｋ２ｂ）と比較して相対的に高くなるように調整されている。
【００４１】
本実施形態で使用するインクの記録媒体に対する浸透速度の制御はインクの表面張力を指標として行うことができる。インクの表面張力が小さいほど記録媒体に対する浸透速度は高く、インクの表面張力が大きいほど記録媒体に対する浸透速度は低い。表面張力は、界面活性剤、浸透溶剤等の浸透材を添加することによって制御することができる。特に、高浸透性インクの表面張力は、２０〜３５ｍＮ／ｍであることが好ましく、低浸透性インクの表面張力は３５〜５０ｍＮ／ｍであることが好ましい。さらに好ましくは、高浸透性インクの表面張力は２５〜３０ｍＮ／ｍ、低浸透性インクの表面張力は３５〜４０ｍＮ／ｍである。したがって、上記の各インクのうち、高浸透Ｂｋインクが高浸透性インクとなり、それ以外のインクが低浸透性インクとなる。なお、低浸透インクの表面張力が２０ｍＮ／ｍ未満では、記録ヘッドのノズル付近で濡れを生じる場合があり、インクの不吐出や吐出方向の偏向等の不具合が生じる恐れがある。
【００４２】
なお、本明細書中に記載の「表面張力」は、静的表面張力・動的表面張力のどちらでもよい。インクの静的表面張力の測定方法は、インクの温度を２５℃に調整した後、自動表面張力計ＣＢＶＰ−Ｚ（協和界面科学株式会社製）を用いて行う。動的表面張力については、液体中で空気泡を形成し内部の圧力変化を測定する最大泡圧法を採用することによって測定することができる。市販の測定装置としては、ＫＲＵＳＳ製のＢｕｂｂｌｅ  Ｐｒｅｓｓｕｒｅ  Ｔｅｓｉｏｍｅｔｅｒ  型式：ＢＰ２等が挙げられる。また、動的表面張力は、一般的に界面形成時間（インクが被記録媒体上に着滴した瞬間からの経過時間）が経過するにつれ、徐々に下降しながら静的表面張力の値に安定してゆく。本願発明者の検討によれば、特に記録媒体が普通紙の場合、界面形成時間が１０ｍｓｅｃ程度における動的表面張力の値が、ブリード現象といった画像弊害に影響するとの知見を得ている。
【００４３】
［記録システムの制御系の構成］
図３は、図２に示した記録装置２００の記録制御系の概略構成を示す図である。記録装置２００は、インターフェイス１２００を介して、ホストコンピュータ（以下、ホストＰＣ）１２０１等のデータ供給装置に接続されている。ここでの接続方式は特に限定するものではなく、ネットワーク（不図示）を介して複数の外部装置に接続されてもよい。データ供給装置から送信される各種データや記録に関連する制御信号等は、記録装置２００の記録制御部３００に入力される。
【００４４】
記録制御部３００は、インターフェイス１２００を介して入力される画像データの処理や、ヘッド種別信号発生回路３０６から入力される信号の処理を行う。搬送モータ３０１は、記録媒体Ｐの搬送のために搬送ローラ２２０を回転させるためのモータである。キャリッジモータ３０２は、記録ヘッド２０１〜２０６を搭載するキャリッジ２２２を往復移動させるためのモータである。モータドライバ３０３、３０４はそれぞれ、搬送モータ３０１、キャリッジモータ３０２を駆動するためのモータドライバである。ヘッドドライバ３０５は、記録ヘッド２０１〜２０６を駆動するヘッドドライバであり、記録ヘッドの数に応じて複数設けられている。したがって、本実施形態では、６つのヘッドドライバ３０５が設けられていることとなる。また、ヘッド種別信号発生回路３０６は、キャリッジ２２２に搭載されている記録ヘッド２０１〜２０６の種類や数を示す信号を記録制御部３００に供給する。
【００４５】
［画像処理］
図４は、上述した記録装置２００とホストＰＣ１２０１とを含んで構成される画像処理システムにおける画像データ処理のための概略構成を示す機能ブロック図である。記録装置２００の記録制御部３００は、インターフェイス１２００を介して、プリンタドライバ（不図示）がインストールされたホストＰＣ１２０１より転送されるデータ処理を行う。本実施形態では、画像形成のターゲット画像として、ＣＡＤ図面などの、線属性情報を有するベクター情報を含む図面を例に挙げて説明する。なお、以下に示す画像の解像度は一例であり、これに限定されるものでは無い。
【００４６】
図４（ａ）に示すように、ホストＰＣ１２０１ではアプリケーション（不図示）からのベクター形式の入力画像データ４００を用いて、１２００ｄｐｉの解像度でレンダリング処理４０１を行う。これにより、ベクター形式の入力画像データ４００はビットマップ形式の画像データに変換され、記録用多値ＲＧＢデータ４０２が生成される。本実施形態では、ベクター形式の８ビットＲＧＢデータである入力画像データ４００から、２５６値のビットマップ形式データの記録用多値ＲＧＢデータ４０２が生成される。この生成された記録用多値ＲＧＢデータ４０２は、インターフェイス１２００を介して記録装置２００の記録制御部３００に転送される。
【００４７】
記録制御部３００では、記録用多値ＲＧＢデータ４０２を、多値（２５６値）のＫＣＭＹデータ４０４に変換するための色変換処理４０３を行う。次いで、多値のＫＣＭＹデータ４０４を量子化処理４０５（例えば、誤差拡散処理）によって量子化（２値化）する。これにより、解像度が１２００ｄｐｉの２値のＫＣＭＹデータ４０６が生成される。生成されたＫＣＭＹデータ４０６のうちの２値Ｋデータに対して、境界処理Ｘ４０７を行うことで、図１（ａ）に示すようなブラック境界領域１０３とブラック境界領域１０４とがまとめて生成（抽出）される。ここで、Ｋデータは、高浸透Ｂｋインク及び低浸透Ｂｋインクの記録データに対応し、ＣＭＹの各データはＣＭＹの各インク（低浸透性インク）の記録データにそれぞれ対応する。
【００４８】
一方、図４（ｂ）に示すように、ホストＰＣ１２０１では、アプリケーション（不図示）上で入力画像データ４００から特定のＲＧＢ値画像データ抽出処理４０８を行い、特定のＲＧＢ値画像データを抽出する。次いで、ホストＰＣ１２０１は、抽出された特定のＲＧＢ値画像データに境界処理Ｙ４０９（詳細は後述）を行う。本実施形態では、特定のＲＧＢ値画像データ抽出処理４０８として、入力画像データ４００からＲＧＢ（０、０、０）の値を有する画像データを抽出することで、純黒属性データを抽出する。この純黒属性データに境界処理Ｙ４０９を行った場合、図１（ａ）に示すブラック境界領域１０３は含まれるが、ブラック境界領域１０４は含まれない、純黒属性データを抽出することができる。次いで、境界処理Ｙ４０９で生成された多値データに対して、図４（ａ）と同様に、レンダリング処理４０１から量子化処理４０５を行う。これにより、本実施形態ではブラック境界領域１０３は含まれるが、ブラック境界領域１０４は含まれない、２値Ｋデータが生成される。
【００４９】
なお、本実施形態では、特定のＲＧＢ値画像データ抽出処理４０８にてＲＧＢ（０，０，０）を抽出する場合を例に挙げたが、データ形式等に応じて該処理を省略するような構成であってもよい。例えば、入力画像データ４００が線属性情報を有するベクター形式の画像データであれば、純黒属性情報を持つデータのみを抽出せずにカラー細線データを含んだまま、後段の境界処理Ｙ４０９を行ってもよい。これは、図４（ａ）に示すシーケンスで生成される境界処理Ｘ４０７を行った２値Ｋデータが、純黒属性を持つ画像データの２値データに限定されるため、特定のＲＧＢ値画像データ抽出処理４０８を省略しても結果が同様となる。
【００５０】
［処理フロー］
本実施形態に係る境界処理について以下に詳細に説明する。
【００５１】
（境界処理Ｘ）
図５は、本実施形態に係る境界処理Ｘ４０７の境界検出処理のフローチャートである。図６は、カラー画像（カラー画像領域）に隣接する、あるブラック画像（ブラック画像領域）に対して図５に示す境界処理Ｘ４０７を実行した際の過程を模式的に示す図である。本処理は、記録装置２００の記録制御部３００により実行される。
【００５２】
Ｓ５０１にて、記録制御部３００は、ドット記録用データの読み込みを行う。具体的には、図４（ａ）に示す量子化処理４０５の結果として得られた２値のＫＣＭＹデータ４０６を読み込む。
【００５３】
Ｓ５０２にて、記録制御部３００は、読み込んだドット記録用データにおいて、ブラックドットとカラードットが隣接しているかの判定を行う。ここでの判定は、所定領域として所定のサイズの領域を設定しておき、そのサイズごとにドット記録用データ全体を順次判定してもよい。この場合、ドット記録用データ全体において、いずれかの部分にブラックドットとカラードットが隣接する領域があると判定された場合には、隣接していると判定する。ブラックドットとカラードットが隣接すると判定された場合（Ｓ５０２にてＹＥＳ）、Ｓ５０３へ進み、隣接しないと判定された場合（Ｓ５０２にてＮＯ）本処理フローを終了する。
【００５４】
Ｓ５０３にて、記録制御部３００は、ドット記録用データから、ブラックインクに対応するブラックデータと、カラーインク（ＣＭＹ各インク）に対応するカラーデータを抽出する。図６（ａ）は、Ｓ５０３にて抽出されたブラックインクとカラーインクのドット記録用データの一例を模式的に示す図である。ここでは、ブラック画像を構成するブラックドットの領域に隣接して、カラー画像を構成するカラードットの領域が形成される場合を示している。
【００５５】
Ｓ５０４にて、記録制御部３００は、カラーデータに対してボールド処理を行う。これにより、カラーボールドデータ（以下、判別データ）が生成される。ここで、ボールド処理とは、特定データのアドレス（ここではドット（画素）の位置）を所定方向に所定量だけシフトし、シフト前の特定データとシフト後の特定データの論理和（ＯＲ）処理を行うことにより、特定データの範囲を拡張する処理のことである。本実施形態では、ボールド処理の一例として、カラーデータをＸ方向に２画素分シフトさせる処理を行い、カラーボールドデータを生成する。なお、シフトさせる方向は、カラーデータとブラックデータとの隣接の向きに応じて異なる。
【００５６】
図６（ｂ）は、図６（ａ）に示すカラーデータに対してボールド処理を実行することにより生成されるカラーボールドデータ（判別データ）を模式的に示す図である。図６（ｂ）から分かるように、カラーボールドデータ（判別データ）は、図６（ａ）に示すカラーデータに比べて、Ｘ方向に２画素分だけカラードットの部分が拡張されたデータとなる。図６においては、ブラック領域がカラー領域の左側に隣接しているため、左方向にカラー領域を拡張する（膨らませる）ようにボールド処理を行っている。一方、ブラック領域とカラー領域の隣接関係が逆である場合には、カラー領域は右方向に拡張するようにボールド処理が行われる。
【００５７】
Ｓ５０５にて、記録制御部３００は、Ｓ５０３で取得されたブラックデータとＳ５０４で生成されたカラーボールドデータの論理積（ＡＮＤ）処理を行い、ブラックドットの境界領域データ（ブラック境界領域データ）を生成する。
【００５８】
図６（ｃ）は、図６（ａ）に示すドット記録用データと図６（ｂ）に示すカラーボールドデータの論理積処理を行うことにより得られるブラック境界領域データを模式的に示す図である。ドット記録用データにおいてブラック境界領域以外のブラックドットの画素列を、図６（ｄ）に示すように、「ブラック非境界領域」とする。
【００５９】
Ｓ５０６にて、記録制御部３００は、Ｓ５０５にて生成されたブラック境界領域データから特定されるブラック境界領域の位置を記憶する。
【００６０】
Ｓ５０７にて、記録制御部３００は、Ｓ５０５にて生成されたブラック境界領域データから特定された、ブラック境界領域以外のブラックドットの位置をブラック非境界領域として記憶する。そして、本処理フローを終了する。
【００６１】
なお、本実施形態では、Ｓ５０２にてブラックドットとカラードットが隣接しないと判定された場合、記録用データに対して境界処理を行わない。また、本実施形態では、Ｓ５０４のカラーデータのボールド処理をＸ方向に２画素分だけ膨らませた場合を記載したが、Ｘ方向に４画素分膨らませてもよく、膨らませる画素数はこれに限定されない。ただし、膨らませる画素数が増えるほど、図１（ａ）に示すブラック境界領域１０４が大きくなる。そのため、記録成果物としての図１（ｄ）の領域１０６に示すような画像弊害領域が大きく目立つ傾向があるため、Ｘ方向に４画素以内に収めることが好ましい。
【００６２】
（境界処理Ｙ）
図７は、本実施形態に係る境界処理Ｙ４０９の境界検出処理のフローチャートである。本処理は、入力画像データ４００がベクター形式であり、ブラック細線画像に線属性情報が含まれている場合に、ブラック画像とカラー画像との重なり方の判別に関する処理である。本処理により、ブラック境界領域において、隣接するカラー画像によって分断されないブラック境界領域１０３と、隣接するカラー画像によって分断されるブラック境界領域１０４とを判別できる。本処理は、ホストＰＣ１２０１のＣＰＵ（不図示）がメモリ（不図示）等の記憶部に記憶されたプログラムを読みだして実行することにより実現される。
【００６３】
Ｓ７０１にて、ホストＰＣ１２０１は、線属性情報を持つベクター形式の多値の入力画像データ４００に対して、線幅圧縮処理を行う。ここでの線幅圧縮処理は、線のベクトル方向（延伸方向）が特定できればよく、その圧縮の割合は特に限定するものではない。圧縮の割合は、例えば、図５のＳ５０４におけるボールド処理にて拡張する画素数に対応して規定してもよい。
【００６４】
Ｓ７０２にて、ホストＰＣ１２０１は、Ｓ７０１にて線幅圧縮処理が行われた多値画像データに対し反転処理を行う。
【００６５】
Ｓ７０３にて、ホストＰＣ１２０１は、Ｓ７０２にて得られた多値画像データと、入力画像データ４００との論理積（ＡＮＤ）処理を行い、入力画像データ４００のうち、ベクトル方向のエッジ領域を抽出する。ここでのベクトル方向とは、線の延伸方向を示す。
【００６６】
Ｓ７０４にて、ホストＰＣ１２０１は、抽出したエッジ領域にレンダリング処理を行い、ベクトル方向のエッジ領域の２値データを生成する。
【００６７】
Ｓ７０５にて、ホストＰＣ１２０１は、記録装置２００の記録制御部３００が記憶しているブラック境界領域データを取得する。ブラック境界領域データは、図５の処理により生成されたものであり、図１（ａ）に示すブラック境界領域１０３およびブラック境界領域１０４の両方が含まれたデータである。ここでのブラック領域データの取得については、図４（ｂ）では示していないが、ホストＰＣ１２０１が記録装置２００の記録制御部３００から取得できるものとする。
【００６８】
Ｓ７０６にて、ホストＰＣ１２０１は、Ｓ７０４にて生成した２値データとＳ７０５にて取得したブラック境界領域データとの論理積（ＡＮＤ）処理を行い、ブラック境界領域１０３に相当する領域のみを抽出する。具体的には、論理積処理を行った結果、Ｓ７０５にて取得したブラック境界領域のうち、全ての画素（ドット）がＳ７０４にて生成した２値ブラックデータの値と一致するブラック境界領域が、ブラック境界領域１０３に相当する領域として抽出される。言い換えると、ブラック境界領域データに含まれるブラック境界領域のうち、一部でも画素（ドット）がＳ７０４にて生成した２値ブラックデータの値と一致しないブラック境界領域は、ブラック画像がカラー画像により分断されている位置のブラック境界領域である。
【００６９】
Ｓ７０７にて、ホストＰＣ１２０１は、Ｓ７０５にて取得したブラック境界領域データのうち、Ｓ７０６にて抽出した領域以外のデータをブラック境界領域１０４に相当する領域として抽出する。そして、本処理フローを終了する。
【００７０】
本処理により、ブラック境界領域において、ブラック境界領域１０３と、ブラック境界領域１０４とを判別が可能となる。
【００７１】
図７の処理について、図８を用いてさらに詳細に説明する。ここでは、線属性情報を持つベクター形式の多値の入力画像データ４００をブラック細線に限定して説明する。なお、本実施形態では、図７にて、入力画像データ４００にて線属性情報を持つ多値画像データを入力値として、純黒属性情報を持つデータのみを抽出せずにカラー細線データを含んだままでもよいと述べた。しかし、この構成に限定するものではなく、入力画像データ４００のうち線属性情報を持つブラック細線のみを処理対象として限定してもよい。この場合、Ｓ７０６にて論理積（ＡＮＤ）処理するもう一方の入力値がブラック画像に限定されているため、入力画像データ４００はブラック細線に限定しなくてもよい。また、本実施形態のように、カラー細線とブラック細線を含む線属性情報を持つ多値画像データとしても問題はない。
【００７２】
図８（ａ）は、多値の入力画像データ４００の例を示す。ここでは、多値のブラックデータからなる横方向の１つの直線と、多値のカラーデータからなる縦方向の２つの直線とが含まれている。ブラックデータからなる直線は、左のカラーデータからなる直線を分断するように配置され、また、右のカラーデータからなる直線から分断されるように配置されている。
【００７３】
図８（ｂ）は、入力画像データ４００から抽出した、多値ブラックデータ（多値ブラック細線画像）を抽出した状態を示す。この多値ブラック細線画像に対して、図７のＳ７０１における線幅圧縮処理を行うと、図８（ｃ）に示す状態となる。更に、図７のＳ７０２における反転処理を行うと、図８（ｄ）に示すブラック多値データが得られる。
【００７４】
そして、図８（ｂ）に示す多値ブラック細線画像と、図８（ｄ）に示すブラック多値データとの論理積（ＡＮＤ）処理を行うと、図８（ｅ）に示す情報が得られる。つまり、多値ブラック細線のエッジ領域（線の長手方向の端部）の情報が得られる。更に、図８（ｅ）のデータを２値化することで、図８（ｆ）に示すようにブラック細線の２値データが得られる。
【００７５】
一方、入力画像データ４００から図５に示す境界処理Ｘ４０７が行われることにより、図８（ｇ）に示すブラック境界領域データが得られる。上述したように、図８（ｇ）に示すブラック境界領域データでは、ブラック境界領域において、ブラック境界領域１０３とブラック境界領域１０４との区別はされていない。
【００７６】
そして、図８（ｆ）に示すデータと図８（ｇ）に示すデータとのＡＮＤ処理（図７のＳ７０６）を行うことにより、図８（ｈ）に示す情報が得られる。具体的には、ブラック境界領域のうち、ＡＮＤ処理の結果として“０”と“１”の両方が含まれるブラック境界領域はブラック境界領域１０４に相当する領域として識別することができる。そのため、ブラック境界領域のうち、ブラック境界領域１０３に相当する領域の情報を取得することができる。これにより、隣接するカラー領域によって分断されていないブラック境界領域１０３と、隣接するカラー領域によって分断されているブラック境界領域１０４との区別を行うことができる。
【００７７】
上記の識別結果を用いて、本実施形態では、ブラック境界領域１０３に相当する領域は、低浸透Ｂｋインクと高浸透Ｂｋインクとの混色で記録する。これにより、ブラック境界領域１０３の黒発色低下を低減でき、メインとなるブラック細線（ベタ細線画像１０２）は欠けずに記録できる。一方、ブラック境界領域１０４は、高浸透Ｂｋインクのみで記録する。これにより、メインとなるカラー細線が欠けることなく記録できる。
【００７８】
以上、本発明により、ある色相の画像領域により他の色相の画像領域が分断される構成を含む画像において、分断状態に応じた境界判定を可能とする。そして、この判定結果を用いることで、印刷物において画像内の境界部分にて生じる弊害の抑制することが可能となる。
【００７９】
＜第２の実施形態＞
第１の実施形態では、記録媒体にスタンダード普通紙２（キヤノン株式会社製）を使用し、入力画像データがベクター形式データの場合、つまりブラック細線画像に線属性情報が含まれている場合に関する判別方法について述べた。第２の実施形態では、浸透性が低い普通紙を使用する場合に、より効果のあるカラー画像側のカラー境界領域のうちのブラック境界領域１０３に隣接するカラー境界領域の抽出について説明する。なお、第１の実施形態と同様の部分については説明を省略する。
【００８０】
画像形成のターゲット画像であるＣＡＤ図面を記録する際に、安価で２価金属等が含まれず、浸透性の低い普通紙が使用されることがある。本実施形態では、記録媒体として、ＩＪＭ０２１（Ｏｃｅ社製普通紙）を使用する例について説明する。
【００８１】
図９（ａ）は、本実施形態に係る画像データの例を示す。ここでは、低浸透Ｂｋインクによるベタ画像からなる横方向の１つのベタ細線画像１０２（単色１００％Ｄｕｔｙ）と、高浸透カラーインクによるベタ画像からなる縦方向の２つのベタ細線画像１０１（単色１００％Ｄｕｔｙ）とが含まれている。低浸透Ｂｋインクによるベタ細線画像１０２は、左のカラーベタ細線画像を分断するように配置され、また、右のカラーベタ細線画像から分断されるように配置されている。図９（ｂ）（ｃ）は、第１の実施形態にて図１（ｂ）（ｃ）を用いて述べた現象を、図９（ａ）の画像にて示した状態を示している。
【００８２】
図９（ｄ）は、本実施形態において、高浸透カラーインクのベタ細線画像１０１に隣接する低浸透Ｂｋインクのベタ細線画像１０２の境界領域を、高浸透Ｂｋインクと低浸透Ｂｋインクの使用比率を切り替えて記録した場合のイメージ図である。ブラック境界領域１０３では、低浸透Ｂｋインクと高浸透Ｂｋインクとの混色で記録することで、カラー細線側への低浸透Ｂｋインクのブリード現象（領域１０７）は生じうる。しかし、ブラック境界領域１０３の黒発色低下を低減でき、カラー細線と接するメインのブラック細線は欠けずに記録できる。しかし、ＩＪＭ０２１のように浸透性が低い普通紙上では、ブラック境界領域１０３に記録した低浸透Ｂｋインクと高浸透Ｂｋインクとの混色が記録媒体に吸収されにくい。そのため、ブリード現象（領域１０７）の発生により、カラー細線と接するメインのブラック細線は太くなりすぎてしまう。
【００８３】
そこで、本実施形態では、図９（ｅ）に示すようにブラック画像に隣接するカラー境界領域１０９、１１０のうち、ブラック境界領域１０３に隣接するカラー境界領域１０９のドットを間引き、かつ、ブラック境界領域１０３は低浸透Ｂｋインクのみで記録する。これにより、領域１０７においてブリード現象は発生する懸念が無くなる。これにより、図９（ｇ）に示すように、カラーのベタ細線画像１０１はカラー境界領域１０９の部分だけ欠けてしまうものの、カラーのベタ細線画像１０１と接するメインのブラックのベタ細線画像１０２は欠けることが無くなる。そのため、ブラック細線を太くなりすぎずに記録できる。
【００８４】
一方、ブラック境界領域１０４は、高浸透Ｂｋインクのみで記録する。これにより、図９（ｇ）に示すように、領域１０６において、ブラック境界領域１０４の黒発色は低下しうるが、ブラック細線と接するメインのカラー細線は欠けずに記録できる。このとき、ブラック画像に隣接するカラー境界領域１０９、１１０のうち、ブラック境界領域１０４に隣接するカラー境界領域１１０に対しては間引き処理を行なわない。
【００８５】
［抽出処理］
図１０は、本実施形態に係るカラー境界領域１０９に相当する領域の抽出処理を示すフローチャートである。本処理は、ホストＰＣ１２０１のＣＰＵ（不図示）がメモリ（不図示）等の記憶部に記憶されたプログラムを読みだして実行することにより実現される。
【００８６】
Ｓ１００１にて、ホストＰＣ１２０１は、第１の実施形態にて述べた図７のＳ７０６にて得られたブラック境界領域１０３に相当する領域の情報を取得する。これは、図８（ｈ）に示す情報に対応する。
【００８７】
Ｓ１００２にて、ホストＰＣ１２０１は、Ｓ１００１にて取得した領域に対し、ボールド処理を行う。ここでのボールド処理の方法は、第１の実施形態にて述べた図５のＳ５０４と同様であるとする。図９の例の場合、ブラック境界領域を上下方向に膨らむようにボールド処理が行われる。
【００８８】
Ｓ１００３にて、ホストＰＣ１２０１は、Ｓ１００２の処理が行われたデータと、記録装置２００の記録制御部３００にて生成された２値カラーデータとの論理積（ＡＮＤ）処理を行う。これにより、ブラック境界領域１０３に相当する領域に隣接するカラー境界領域１０９の情報のみが生成される。そして、本処理フローを終了する。
【００８９】
上記の処理フローにより得られたカラー境界領域１０９の情報を用いて、カラーのベタ細線画像１０１に対する間引き処理を行うことで、図９（ｆ）に示すような画像データを生成することが可能となる。この場合、ブラック境界領域１０３に相当していた領域は境界領域ではないものとして扱うことが可能となる。
【００９０】
そして、本実施形態では、上記の結果を用いて、各領域に対してインクを使い分けて画像形成を行う。
【００９１】
以上、本実施形態により、浸透性が低い普通紙を使用する場合においても、画像形成の際に生じる弊害を抑制することが可能となる。
【００９２】
＜第３の実施形態＞
第３の実施形態では、図９（ｅ）で示したような、カラー画像側のカラー境界領域のうちの、カラー境界領域１０９とカラー境界領域１１０との判別する形態について説明する。なお、第１、第２の実施形態と同様の部分については、説明を省略する。
【００９３】
［判別処理］
図１１は、本実施形態に係るカラー境界領域の判別処理を示すフローチャートである。第１の実施形態にて述べた図７の処理と同じ工程については、同じ参照番号を付す。本処理は、ホストＰＣ１２０１のＣＰＵ（不図示）がメモリ（不図示）等の記憶部に記憶されたプログラムを読みだして実行することにより実現される。
【００９４】
Ｓ１１０１にて、ホストＰＣ１２０１は、入力画像データ４００に対応するドット記録用データの読み込みを行う。具体的には、図４（ａ）に示す量子化処理４０５の結果として得られた２値のＫＣＭＹデータ４０６を取得する。更に、ホストＰＣ１２０１は、所定領域においてブラック画像とカラー画像が隣接しているか否かを判定する。ここでの判定は、第１の実施形態にて述べた、図５の処理による処理結果を用いてよい。ブラック画像とカラー画像とが隣接している場合には、ホストＰＣ１２０１は、ドット記録用データに基づいてブラックデータと、カラーデータを抽出する。
【００９５】
Ｓ１１０２にて、ホストＰＣ１２０１は、２値ブラックデータにボールド処理を行う。これにより、ブラックボールドデータ（判別データ）が生成される。ここでのボールド処理の方法は、第１の実施形態にて述べた図５のＳ５０４と同様であるとする。
【００９６】
Ｓ１１０３にて、ホストＰＣ１２０１は、Ｓ１１０１で取得されたカラーデータとＳ１１０２で生成されたブラックボールドデータの論理積（ＡＮＤ）処理を行い、カラードットの境界領域データ（カラー境界領域データ）を生成する。ここで生成されたカラー境界領域データは、カラー境界領域１０９とカラー境界領域１１０とを含んだデータに相当する。
【００９７】
Ｓ１１０４にて、ホストＰＣ１２０１は、Ｓ１１０３にて得られたカラー境界領域データと、Ｓ７０４にて生成した２値データとの論理積（ＡＮＤ）処理を行い、ブラック境界領域に隣接するカラー境界領域１０９に相当する領域のみを抽出する。なお、本工程においては、第２の実施形態の図１０に示す抽出処理を行い、カラー境界領域１０９のみを生成するような構成であってもよい。
【００９８】
Ｓ１１０５にて、ホストＰＣ１２０１は、Ｓ１１０３にて取得したカラー境界領域データのうち、Ｓ１１０４にて抽出した領域以外のデータをカラー境界領域１１０に相当する領域として抽出する。そして、本処理フローを終了する。
【００９９】
本処理により、カラー境界領域のうち、カラー境界領域１０９に相当する領域と、カラー境界領域１１０とを判別が可能となる。
【０１００】
そして、上記の結果に基づいて、各カラー領域に対する画像形成を行う際のインクを切り替えたり、カラー領域の画像を間引くことで、画像形成の際に生じる弊害を抑制することが可能となる。
【０１０１】
＜その他の実施形態＞
本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１０２】
２００…画像形成装置、２０１〜２０６…記録ヘッド、２０７〜２１２…インクタンク、２２２…キャリッジ、３００…記録制御部、３０１…搬送モータ、３０２…キャリッジドライバ、３０３〜３０４…モータドライバ、３０５…ヘッドドライバ、３０６…ヘッド種別信号発生回路、１２００…インターフェイス、１２０１…ホストＰＣ
【図１】
2019195961.tif 000003
【図２】
2019195961.tif 000004
【図３】
2019195961.tif 000005
【図４】
2019195961.tif 000006
【図５】
2019195961.tif 000007
【図６】
2019195961.tif 000008
【図７】
2019195961.tif 000009
【図８】
2019195961.tif 000010
【図９】
2019195961.tif 000011
【図１０】
2019195961.tif 000012
【図１１】
2019195961.tif 000013